(57)【要約】【課題】スリム化及び短縮化を図る。【解決手段】照明器具Ｘ１は、周囲の状況を検出するセンサ装置５と、センサ装置５が検出する周囲の状況に応じて点灯する常用光源ユニット３と、センサ装置５が検出する周囲の状況に関わらずに点灯する第２ＬＥＤモジュール４０及び導光体４３とを備える。照明器具Ｘ１は、センサ装置５、常用光源ユニット３及び非常用光源ユニット４を収容する器具本体１と、常用光源ユニット３と対向して器具本体１に取り付けられるカバー２とを備える。器具本体１は、背板１０、上側板１１及び下側板１２で囲った箱状に形成されている。第２ＬＥＤモジュール４０及び導光体４３は、下側板１２とセンサ装置５に挟まれた空間に配置されている。【選択図】        図３
2020167140.tif 000002
【特許請求の範囲】
【請求項１】
周囲の状況を検出するセンサ装置と、
前記センサ装置が検出する前記周囲の状況に応じて点灯する第１の光源と、
前記センサ装置が検出する前記周囲の状況に関わらずに点灯する第２の光源と、
前記センサ装置、前記第１の光源及び前記第２の光源を収容する器具本体と、
前記第１の光源と対向して前記器具本体に取り付けられるカバーと、
を備え、
前記器具本体は、複数の壁で囲った箱状に形成されており、
前記第２の光源は、前記複数の壁のうちの一つの壁と前記センサ装置に挟まれた空間に配置されている、
照明器具。
【請求項２】
前記センサ装置は、直方体状の外郭を有し、前記一つの壁に対して、前記外郭の側面を傾けて配置されており、
前記空間は、前記一つの壁と前記外郭の前記側面の間に形成されている、
請求項１記載の照明器具。
【請求項３】
前記第２の光源は、ライン状に光を放射するように構成されている、
請求項１又は２記載の照明器具。
【請求項４】
前記器具本体は、前記第２の光源が放射するライン状の光を通過させる窓を有し、
透光性を有する材料で板状に形成され、前記窓を塞ぐように前記器具本体に取り付けられるパネルを備える、
請求項３記載の照明器具。
【請求項５】
前記窓は、前記一つの壁に設けられ、かつ、前記器具本体の前後方向において、前記センサ装置の前端よりも後方に配置されている、
請求項４記載の照明器具。
【請求項６】
前記器具本体は、長尺の箱状に形成され、
前記センサ装置は、前記器具本体の長手方向に沿って前記第１の光源と一列に並ぶように配置されている、
請求項１−５のいずれか１項に記載の照明器具。
【請求項７】
前記カバーは、前記器具本体の前方から見て前記第１の光源と前記センサ装置と前記第２の光源を覆うように前記器具本体に取り付けられる、
請求項１−６のいずれか１項に記載の照明器具。
【請求項８】
前記器具本体及び前記カバーは、前記器具本体の側方から見て前記第１の光源と前記センサ装置と前記第２の光源を覆っている、
請求項７記載の照明器具。
【請求項９】
常用電源から供給される常用電力で前記第１の光源を点灯させる常用点灯装置と、
前記常用電力で充電される非常用電源と、
前記常用電源の停電時に前記非常用電源から供給される非常用電力で前記第２の光源を点灯させる非常用点灯装置と、
を備え、
前記常用点灯装置、前記非常用電源及び前記非常用点灯装置は前記器具本体内に収容されている、
請求項１−８のいずれか１項に記載の照明器具。
【請求項１０】
前記器具本体は、第１器具本体と第２器具本体を有し、
前記第１器具本体は、造営材に取り付けられる背板と、前記背板の端縁から前記背板の厚み方向に沿って前方へ突出する第１側板とを有し、
前記第２器具本体は、前記第１器具本体と離脱可能に結合され、前記第１器具本体に結合された状態において前記第１側板と対向する第２側板を有する、
請求項９記載の照明器具。
【請求項１１】
前記第１の光源、前記カバー及び前記常用点灯装置が取り付けられる取付板を備え、
前記取付板は、前記器具本体に対して着脱可能に取り付けられる、
請求項９又は１０記載の照明器具。
【請求項１２】
前記センサ装置は、前記取付板に取り付けられている、
請求項１１記載の照明器具。
【発明の詳細な説明】
【技術分野】
【０００１】
本開示は、照明器具に関し、より詳細には、周囲の状況に応じて光源の点灯制御を行う照明器具に関する。
【背景技術】
【０００２】
従来例として特許文献１記載の照明器具を例示する。特許文献１記載の照明器具（以下、従来例という。）は、階段の踊り場の壁面に設置される階段灯（階段通路誘導灯）である。従来例は、常時用光源を含む光源ユニットと、各々が非常用光源を含む二つの非常用光源ユニットと、二次電池と、人検知ユニットと、非常用点灯装置と、制御装置と、器具本体とを備える。
【０００３】
器具本体は、長尺の矩形平板状に形成される背板と、各々が長尺の矩形平板状である上板及び下板とを有する。背板は、長手方向の両端を除く部分で上板及び下板と繋がっている。器具本体は、背板の上板及び下板と繋がっていない背板の中央部分と、上板と、下板とで第１本体部を構成し、第１本体部を除く背板の長手方向の両端部分で第２本体部を構成している。
【０００４】
光源ユニットは、器具本体の第１本体部に取り付けられる。二つの非常用光源ユニットは、器具本体の二つの第２本体部のうちの対応する第２本体部に一つずつ取り付けられて光源ユニットの長手方向の両端に配置される。
【０００５】
人検知ユニットは、電波センサと、センサ取付台と、を備える。電波センサは、電波を媒体として人（移動体）を検知し、人を検知したときに人検知信号を制御装置に出力するように構成されている。センサ取付台は、電波センサを保持し、器具本体の下板における長手方向の中央に取り付けられる。制御装置は、人検知ユニットから人検知信号が出力されているとき、光源ユニットを定格点灯させ、人検知信号が出力されなくなってから所定の待機時間が経過したとき、光源ユニットを所定の調光レベル（例えば、５０％）で点灯させる。
【０００６】
非常用点灯装置は、常用電源が停電したときに二次電池から供給される電力で二つの非常用光源ユニットを非常点灯させる。
【先行技術文献】
【特許文献】
【０００７】
【特許文献１】特開２０１７−２２８４２７号公報
【発明の概要】
【発明が解決しようとする課題】
【０００８】
ところで、上記従来例では、センサ装置（人検知ユニット）及び二つの非常用光源（非常用光源ユニット）が器具本体の外に露出しているため、スリム化及び短縮化が困難であった。
【０００９】
本開示の目的は、スリム化及び短縮化を図ることができる照明器具を提供することである。
【課題を解決するための手段】
【００１０】
本開示の一態様に係る照明器具は、周囲の状況を検出するセンサ装置と、前記センサ装置が検出する前記周囲の状況に応じて点灯する第１の光源と、前記センサ装置が検出する前記周囲の状況に関わらずに点灯する第２の光源とを備える。前記照明器具は、前記センサ装置、前記第１の光源及び前記第２の光源を収容する器具本体と、前記第１の光源と対向して前記器具本体に取り付けられるカバーとを備える。前記器具本体は、複数の壁で囲った箱状に形成されている。前記第２の光源は、前記複数の壁のうちの一つの壁と前記センサ装置に挟まれた空間に配置されている。
【発明の効果】
【００１１】
本開示の照明器具は、スリム化及び短縮化を図ることができるという効果がある。
【図面の簡単な説明】
【００１２】
【図１】図１は、本開示の実施形態に係る照明器具の斜視図である。
【図２】図２Ａは、同上の照明器具の正面図である。図２Ｂは、同上の照明器具の平面図である。図２Ｃは、同上の照明器具の下面図である。図２Ｄは、同上の照明器具の左側面図である。
【図３】図３は、同上の照明器具の前方斜め下から見た分解斜視図である。
【図４】図４は、同上の照明器具の後方斜め上から見た分解斜視図である。
【図５】図５Ａは、同上の照明器具における常用光源ユニットの正面図である。図５Ｂは、同上の常用光源ユニットの背面図である。
【図６】図６は、同上の照明器具における常用光源ユニットの分解斜視図である。
【図７】図７は、同上の照明器具を示し、一部省略した断面図である。
【図８】図８は、同上の照明器具のカバーを省略した一部の正面図である。
【図９】図９は、同上の照明器具におけるカバーの一部省略した斜視図である。
【図１０】図１０は、同上の照明器具の断面図である。
【図１１】図１１は、同上の照明器具の回路構成図である。
【図１２】図１２Ａは、本開示の実施形態２に係る照明器具の前面図である。図１２Ｂは、同上の実施形態２に係る照明器具の下面図である。図１２Ｃは、同上の実施形態２に係る照明器具の左側面図である。
【図１３】図１３は、同上の実施形態２に係る照明器具の分解斜視図である。
【図１４】図１４は、同上の実施形態２に係る照明器具の分解斜視図である。
【図１５】図１５は、同上の実施形態２に係る照明器具における常用光源ユニットの前面図である。
【図１６】図１６は、同上の常用光源ユニットの上面図である。
【図１７】図１７は、同上の常用光源ユニットの下面図である。
【図１８】図１８は、同上の常用光源ユニットの後面図である。
【図１９】図１９は、同上の常用光源ユニットの一部省略した前面図である。
【図２０】図２０は、同上の実施形態２に係る照明器具におけるカバーエンドの斜視図である。
【図２１】図２１は、同上の実施形態２に係る照明器具における非常用光源ユニットの分解斜視図である。
【図２２】図２２は、同上の非常用光源ユニットの下面図である。
【図２３】図２３は、同上の非常用光源ユニットの前面図である。
【図２４】図２４は、同上の非常用光源ユニットの上面図である。
【図２５】図２５は、同上の非常用光源ユニットの後面図である。
【図２６】図２６は、同上の非常用光源ユニットの一部省略した右側面図である。
【図２７】図２７は、同上の非常用光源ユニットの左側面図である。
【図２８】図２８は、同上の非常用光源ユニットの右側面図である。
【図２９】図２９は、同上の非常用光源ユニットの断面図である。
【図３０】図３０は、同上の非常用光源ユニットにおける要部の斜視図である。
【図３１】図３１は、同上の非常用光源ユニットにおける要部の断面図である。
【図３２】図３２Ａは、同上の実施形態２に係る照明器具の第２器具本体を外した状態の上面図である。図３１Ｂは、同上の実施形態２に係る照明器具の第２器具本体を外した状態の右側面図である。
【図３３】図３３Ａは、同上の実施形態２に係る照明器具の第２器具本体を外し、かつ、常用照明ユニットを第１器具本体に対して回転させた状態の上面図である。図３３Ｂは、同上の実施形態２に係る照明器具の第２器具本体を外し、かつ常用照明ユニットを第１器具本体に対して回転させた状態の右側面図である。
【図３４】図３４Ａは、同上の実施形態２に係る照明器具の第２器具本体を外した状態の上面図である。図３４Ｂは、同上の実施形態２に係る照明器具の第２器具本体を外した状態の右側面図である。
【図３５】図３５は、同上の実施形態２に係る照明器具の一部省略した断面図である。
【図３６】図３６は、同上の実施形態２に係る照明器具の一部省略した断面図である。
【発明を実施するための形態】
【００１３】
本開示の実施形態に係る照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１４】
（実施形態１）
本開示の実施形態１に係る照明器具（以下、照明器具と略す。）Ｘ１は、例えば、建物の避難経路となる階段の踊り場の壁に設置される、いわゆる階段通路誘導灯である。ただし、本開示の実施形態に係る照明器具は階段通路誘導灯に限定されない。以下の説明では、特に断りのない限り、図１に矢印で示す向きにおいて照明器具Ｘ１の前後、上下、左右の各方向を規定する。すなわち、鉛直方向を照明器具Ｘ１の上下方向とし、壁の法線方向を照明器具の前後方向とし、壁に正対したときの左右方向を照明器具Ｘ１の左右方向とする。
【００１５】
照明器具Ｘ１は、図１〜図４に示すように、器具本体１、カバー２、常用光源ユニット３、非常用光源ユニット４、センサ装置５、回路ブロック６、非常用電源７及びスイッチブロック８を備える。以下、それぞれの構成要素について詳細に説明する。
【００１６】
［１．常用光源ユニット３］
常用光源ユニット３は、二つの第１ＬＥＤモジュール３０、二つのレンズブロック３１、取付板３２、常用点灯装置３３及び二つの引掛金具３４を有する（図５及び図６参照）。
【００１７】
［１−１．第１ＬＥＤモジュール３０］
二つの第１ＬＥＤモジュール３０はそれぞれ、長尺の長方形状に形成されている基板３００と、基板３００の表面（前面）に実装されている複数のＬＥＤ３０１とを有する（図６参照）。複数のＬＥＤ３０１の各々は、例えば、パッケージ型の照明用白色ＬＥＤである。これら複数のＬＥＤ３０１は、基板３００の前面に間隔を空けて一列に並ぶように実装されている。また、基板３００の前面における長手方向の両端に、それぞれレセプタクルコネクタ３０２が一つずつ実装されている。さらに、基板３００の前面には複数のＬＥＤ３０１同士及びこれら複数のＬＥＤ３０１と二つのレセプタクルコネクタ３０２をそれぞれ電気的に接続するための導体（銅はく）が形成されている。なお、基板３００の前面は、例えば、白色の顔料を含む合成樹脂製のレジストで覆われることが好ましい。レジストは、導体及び基板３００を保護するとともにＬＥＤ３０１から放射される光を前方に反射することで発光効率の向上に寄与する。
【００１８】
［１−２．レンズブロック３１］
二つのレンズブロック３１はそれぞれ、図６に示すように、ベース部３１０と、複数のレンズ３１１を有している。ベース部３１０は、長尺の長方形状に形成されている。ベース部３１０の短手方向（上下方向）の両端のそれぞれに、固定ねじが挿通される穴３１００が二つずつ貫通している。また、ベース部３１０の長手方向（左右方向）の両端における上側の角に、凹部３１０１が一つずつ設けられている。これらの凹部３１０１は、ベース部３１０の後面から前方に向かって凹んでいる。つまり、各凹部３１０１は、ベース部３１０の前面から前方へ突出している。
【００１９】
複数のレンズ３１１はそれぞれ、ベース部３１０の前面から前方へ突出し、かつ、ベース部３１０の長手方向に沿って間隔を空けて一列に並ぶように設けられている。なお、一つのベース部３１０に設けられるレンズ３１１の個数は、一つの基板３００の前面に実装されるＬＥＤ３０１の個数に等しい。複数のレンズ３１１はそれぞれ、一対一に対応するＬＥＤ３０１から放射される照明光の配光特性を制御する。ただし、複数のレンズ３１１のそれぞれの配光特性（レンズ３１１の形状）はすべて同じであってもよいが、後述するように一部のレンズ３１１の配光特性が残りのレンズ３１１の配光特性と異なっていても構わない。
【００２０】
複数のレンズ３１１とベース部３１０は、アクリル樹脂又はポリカーボネート樹脂などの透光性を有する合成樹脂材料の成形体として一体に形成されることが好ましい。ただし、レンズブロック３１は、石英ガラス又はケイ酸塩ガラスなどの無機ガラスで形成されても構わない。
【００２１】
［１−３．取付板３２］
取付板３２は、二つの第１ＬＥＤモジュール３０が取り付けられる取付部３２０と、カバー２が固定される一対の固定片３２１とを有する（図６及び図７参照）。
【００２２】
取付部３２０は、長方形の平板状に形成されている。取付部３２０の長手方向（左右方向）の寸法は、二つのレンズブロック３１の長手方向の寸法の合計よりも長い。また、取付部３２０の短手方向（上下方向）の寸法は、二つのレンズブロック３１の短手方向の寸法よりも長い。取付部３２０の長手方向の中央に、四角形状の窓孔３２２が設けられている。窓孔３２２は、取付部３２０を厚み方向（前後方向）に貫通している。
【００２３】
一対の固定片３２１はそれぞれ、長方形の平板状に形成されている。各固定片３２１は、取付部３２０の上端縁と下端縁から一つずつ後方に向かって突出している（図６及び図７参照）。各固定片３２１の長手方向（左右方向）の中央及び両端のそれぞれにねじ孔３２３が一つずつ設けられている。なお、取付部３２０と一対の固定片３２１は、一枚の金属板が打ち抜き加工及び曲げ加工されることによって一体に形成されることが好ましい。
【００２４】
［１−４．常用点灯装置３３］
常用点灯装置３３は、系統電源などの常用電源ＰＳ（図１１参照）から供給される交流電力を直流電力に電力変換し、当該直流電力を第１ＬＥＤモジュール３０に供給して第１ＬＥＤモジュール３０を点灯させるように構成される。常用点灯装置３３は、金属製のケース３３０を有する（図４、図５Ｂ及び図６参照）。ケース３３０にはプリント回路が収容されている。プリント回路は、電力変換を行う電力変換回路、第１ＬＥＤモジュール３０に供給する直流電流を定電流化する定電流回路などを構成している。
【００２５】
［１−５．引掛金具３４］
二つの引掛金具３４はそれぞれ、帯状の金属板が曲げ加工されることでＪ字状に形成されている。より詳細には、引掛金具３４は、引掛片３４０、支持片３４１及び連結片３４２を有する（図６参照）。連結片３４２は、長方形状に形成されている。連結片３４２の下端が引掛片３４０とつながり、連結片３４２の上端が支持片３４１とつながっている。支持片３４１は、長方形状に形成され、連結片３４２の上端から後方に突出している。引掛片３４０は、長方形状に形成され、かつ、先端（後端）部分がＶ字状に曲げられている。また、引掛片３４０の長手方向（前後方向）の中央が僅かに上向きに折り曲げられている。
【００２６】
二つの第１ＬＥＤモジュール３０及び二つのレンズブロック３１はそれぞれ、取付板３２の取付部３２０の前面に取り付けられる。レンズブロック３１のベース部３１０に設けられた複数の穴３１００にそれぞれ固定ねじが挿通される。これら複数本の固定ねじのそれぞれが、ベース部３１０に設けられている複数のねじ孔に一本ずつねじ込まれることにより、レンズブロック３１が取付部３２０に固定される。一方、第１ＬＥＤモジュール３０は、レンズブロック３１が取付部３２０に固定される際、取付部３２０とレンズブロック３１のベース部３１０に挟まれることで取付部３２０に取り付けられる（図７参照）。
【００２７】
ここで、第１ＬＥＤモジュール３０の複数のＬＥＤ３０１の各々は、前方からみて、レンズブロック３１の複数のレンズ３１１の各々と一つずつ重なっている（図８参照）。つまり、個々のＬＥＤ３０１から放射される照明光の配光特性は、個々のレンズ３１１によって制御される。また、基板３００の前面に実装されている二つのレセプタクルコネクタ３０２は、それぞれレンズブロック３１の凹部３１０１内に収まる（図７参照）。
【００２８】
常用点灯装置３３は、取付部３２０の後面にケース３３０がねじ止めされることで取付板３２に取り付けられる（図４及び図５Ｂ）。
【００２９】
二つの引掛金具３４はそれぞれ、取付部３２０の後面に連結片３４２が固定されることで取付板３２に取り付けられる（図４及び図５Ｂ参照）。なお、連結片３４２は、ねじ止め又は溶接などの適宜の方法で取付部３２０に固定されることが好ましい。
【００３０】
［２．カバー２］
また、取付板３２にはカバー２が取り付けられる。カバー２は、カバー本体２０と一対の突壁２１を有する（図３及び図４参照）。カバー本体２０は、前壁２００、上側壁２０１、下側壁２０２、左側壁２０３及び右側壁２０４を有して後面が開口した長尺の箱状に形成されている。前壁２００は、左右方向を長手方向とする長尺の長方形状に形成されている。上側壁２０１は、長尺の長方形状に形成されて前壁２００の長手方向に沿った上端から後方に突出している。下側壁２０２は、長尺の長方形状に形成されて前壁２００の長手方向に沿った下端から後方に突出している。左側壁２０３は、カバー本体２０の長手方向の一方の端（左端）に設けられている。右側壁２０４は、カバー本体２０の長手方向の他方の端（右端）に設けられている。左側壁２０３及び右側壁２０４はそれぞれ、四角形状に形成されて前壁２００、上側壁２０１及び下側壁２０２とつながっている。
【００３１】
一対の突壁２１はそれぞれ、四角形状に形成されている。一方の突壁２１は、カバー本体２０の左側壁２０３の後端から後方に突出している。他方の突壁２１は、カバー本体２０の右側壁２０４の後端から後方に突出している。
【００３２】
ここで、カバー２は、第１部材２Ａと、一対の第２部材２Ｂとで構成されることが好ましい（図３及び図４参照）。第１部材２Ａは、カバー本体２０の前壁２００、上側壁２０１及び下側壁２０２を構成している。第２部材２Ｂの一方は、カバー本体２０の左側壁２０３と左側壁２０３から突出する突壁２１を構成している（図９参照）。第２部材２Ｂの他方は、カバー本体２０の右側壁２０４と右側壁２０４から突出する突壁２１を構成している。第１部材２Ａ及び一対の第２部材２Ｂはそれぞれ、透光性を有する合成樹脂（例えば、ポリカーボネート樹脂又はアクリル樹脂など）の成形体で構成されているが、石英ガラス又はケイ酸塩ガラスなどの合成樹脂以外の透光性材料で構成されてもよい。第１部材２Ａと一対の第２部材２Ｂとは、接着剤による接着、超音波溶着又はレーザ溶着などの適宜の方法で接合される。
【００３３】
カバー本体２０の上側壁２０１の後端及び下側壁２０２の後端のそれぞれに、長穴状のねじ挿通穴２０５が二つずつ設けられている（図４参照）。これらのねじ挿通穴２０５のそれぞれに取付ねじが一本ずつ挿通される。そして、一対の固定片３２１のそれぞれに設けられている複数のねじ穴のそれぞれに取付ねじが一本ずつねじ込まれることにより、カバー２が取付板３２に取り付けられる（図７参照）。カバー２が取付板３２に取り付けられた状態では、カバー本体２０の後面が取付板３２で塞がれる。そして、二つの第１ＬＥＤモジュール３０から放射される照明光は、カバー本体２０を透過して空間（階段室の踊り場及び階段など）に照射される。
【００３４】
［３．器具本体１］
器具本体１は、図３及び図４に示すように、複数の壁（背板１０、上側板１１及び下側板１２）で囲った箱状に形成されている。背板１０、上側板１１及び下側板１２はそれぞれ、互いに長さの等しい長尺の長方形状に形成されている。上側板１１は、背板１０の長手方向に沿った一方の端（上端）から前方へ突出し、下側板１２は、背板１０の長手方向に沿った他方の端（下端）から前方へ突出している。ただし、背板１０、上側板１１及び下側板１２は、一枚の金属板が曲げ加工されることで一体に形成されることが好ましい。
【００３５】
背板１０は、図４に示すように、複数（図示例では二つ）の丸孔１００と、複数（図示例では四つ）の長穴１０１が設けられている。二つの丸孔１００には、常用電源から常用電力が供給される電源線、及び建物に設置されている自動火災報知設備から自火報連動信号を受信するための信号線が挿通される。また、四つの長穴１０１のうちの少なくとも左右両側の二つの長穴１０１にアンカーボルトが挿通される。アンカーボルトは、階段室の踊り場の壁（コンクリート壁）に埋め込まれている。長穴１０１に挿通されたアンカーボルトにナットが締め付けられることにより、器具本体１が壁に固定される。
【００３６】
また、背板１０の前面に二つの受け金具１３が設けられている（図３参照）。二つの受け金具１３はそれぞれ、四角形状の枠部１３０と、枠部１３０の上端及び下端のそれぞれから後方に突き出た一対の脚部１３１とを有している。なお、枠部１３０と一対の脚部１３１は、一枚の金属板が曲げ加工されることで一体に形成されている。受け金具１３は、一対の脚部１３１の後端が背板１０の前面に接合されることにより、枠部１３０が背板１０から離れた状態で背板１０に固定されている。
【００３７】
下側板１２の長手方向の中央に第１窓１２１が設けられ、下側板１２の左端に第２窓１２２が設けられている（図３参照）。第１窓１２１及び第２窓１２２はそれぞれ、長手方向を下側板１２の長手方向（左右方向）に一致させた長尺の角穴状に形成されている。
【００３８】
背板１０の前面における中央付近に複数の端子台１４、１５が取り付けられている（図３参照）。右側（丸孔１００に近い方）の端子台１４の一次側の端子に、丸孔１００から引き込まれる電源線が電気的に接続される。左側の端子台１５の一次側の端子は、端子台１４の一次側の端子から送り配線されることで電源線と電気的に接続される。右側の端子台１４の二次側の端子は、常用点灯装置３３の入力端子と電気的に接続される。左側の端子台１５の二次側の端子は、回路ブロック６の入力端子と電気的に接続される。
【００３９】
［４．非常用光源ユニット４］
非常用光源ユニット４は、図３、図４及び図１０に示すように、二つの第２ＬＥＤモジュール４０、二つのＬＥＤホルダ４１、導光体４３、二つの放熱板４４、反射体４５及びパネル４６を有する。
【００４０】
［４−１．第２ＬＥＤモジュール４０］
二つの第２ＬＥＤモジュール４０はそれぞれ、チップ・オン・ボード（Chip on Board）型の照明用白色ＬＥＤである。二つの第２ＬＥＤモジュール４０はそれぞれ、ＬＥＤホルダ４１に保持されて放熱板４４に取り付けられる（図１０参照）。二つの放熱板４４のそれぞれに、ＬＥＤホルダ４１に保持された第２ＬＥＤモジュール４０が一つずつ取り付けられる。放熱板４４はそれぞれ、アルミ板のような熱の良導体で形成され、第２ＬＥＤモジュール４０が発する熱を効率的に放熱する。
【００４１】
［４−２．導光体４３］
導光体４３は、例えば、石英ガラス又はケイ酸塩ガラスなどの無機ガラスによって角柱状に形成されている。あるいは、導光体４３は、ポリカーボネート樹脂又はアクリル樹脂などの透光性を有する合成樹脂材料で形成されても構わない。
【００４２】
［４−３．反射体４５］
反射体４５は、三つの反射板（第１反射板４５１、第２反射板４５２及び第３反射板４５３）を有して角とい状に形成されている（図１０参照）。第１反射板４５１、第２反射板４５２及び第３反射板４５３はそれぞれ、長方形の平板状に形成されている。なお、第１反射板４５１、第２反射板４５２及び第３反射板４５３は、金属板が曲げ加工されることで一体に形成されている。
【００４３】
反射体４５は、三つの反射板に囲まれた空間に導光体４３を収容する。第１反射板４５１は、導光体４３の前方に配置される。第２反射板４５２は、導光体４３の上方に配置される。第３反射板４５３は、導光体４３の後方に配置される。
【００４４】
［４−４．パネル４６］
パネル４６は、透光性を有する不燃材料、例えば、石英ガラス又はケイ酸塩ガラスなどの無機ガラスによって長方形の平板状に形成されている（図３参照）。パネル４６は、第１窓１２１を覆うように下側板１２の上面における長手方向（左右方向）の中央に配置される（図１０参照）。
【００４５】
非常用光源ユニット４は、パネル４６を介して第１窓１２１に導光体４３を対向させるようにして器具本体１の長手方向の中央に収容される（図３、図４及び図１０参照）。非常用光源ユニット４は、二つの第２ＬＥＤモジュール４０から放射される照明光を導光体４３の二つの底面から導光体４３に入射させる。導光体４３に入射した照明光は、導光体４３内を進行しつつ導光体４３の側面から出射する。つまり、二つの第２ＬＥＤモジュール４０と導光体４３によってライン状の光源が構成されている。導光体４３から出射する照明光の一部は、反射体４５で反射せずにパネル４６及び第１窓１２１を通して器具本体１の下方に照射される。また、導光体４３から出射する照明光の残りは、反射体４５で反射して器具本体１の下方に照射される。
【００４６】
［５．センサ装置５］
センサ装置５は、周囲の状況として人の存在を検出する。例えば、センサ装置５は、ドップラー効果を利用した電波式センサである。センサ装置５は、送信アンテナからマイクロ波帯（２４ＧＨｚ帯）の無変調連続波の電波（送信波）を送信し、物体に反射した電波（反射波）を受信アンテナで受信する。送信波が移動体で反射した場合、ドップラー効果によって送信波と反射波の間に移動体の移動速度に応じた周波数差が生じる。センサ装置５は、前記周波数差に基づいて移動体（主に階段を昇降する人であるが、人によって開閉される階段室の扉も含まれる。）の存在を検出する。センサ装置５は、移動体の存在を検出しているときに制御装置６０に検出信号を出力する。ただし、センサ装置５は、周波数変調された送信波を送信アンテナから送信させ、受信アンテナで受信する受信波と送信波を乗算して位相検波することにより、送信波を反射した物体までの距離を測距して人の存在を検出してもよい。
【００４７】
センサ装置５は、送信アンテナ、受信アンテナ及び信号処理回路を含むセンサ回路と、センサ回路を収容する外郭５０とを有する（図３、図４及び図１０参照）。センサ回路は、送信アンテナ、受信アンテナ及び信号処理回路が１枚のプリント配線板に実装されたプリント回路で構成される。外郭５０は、例えばポリスチレン（polystyrene）、ポリプロピレン（polypropylene）、ＡＢＳ（Acrylonitrile Butadiene Styrene）等の合成樹脂材料によって直方体状に形成されている。センサ回路は、送信アンテナ及び受信アンテナを外郭５０の第１底面（前面）５０１に対向させるように外郭５０内に収容されている。つまり、送信アンテナから送信される電波は、外郭５０の第１底面５０１を通して放射される。同様に、物体に反射した電波（反射波）は、外郭５０の第１底面５０１を通して受信アンテナに受信される。
【００４８】
外郭５０の第２底面（後面）５０２に取付台５１が取り付けられる（図１０参照）。取付台５１は、器具本体１の内底面（背板１０の前面）に固定される第１板５１１と、第１板５１１の下端から前方へ突出する第２板５１２と、第２板５１２の前端から斜め上向きに突出する第３板５１３とを有する。第１板５１１、第２板５１２及び第３板５１３はそれぞれ、四角形の平板状に形成されている。ただし、第１板５１１、第２板５１２及び第３板５１３は、１枚の金属板が曲げ加工されることで一体に形成されている。
【００４９】
外郭５０は、第３板５１３の前面に取り付けられる。ここで、第３板５１３は、第１板５１１に対して、所定の傾き角θだけ前方に傾いている（図１０参照）。したがって、器具本体１が階段室の壁面に設置される場合、センサ装置５の前面（外郭５０の第１底面５０１）は、壁面の法線方向（水平方向）に対して傾き角θだけ下方に傾くことになる。なお、この傾き角は、例えば、２３°から２４°程度が好ましい。
【００５０】
センサ装置５は、器具本体１の長手方向（左右方向）の中央に収容される。詳細には、背板１０の前面において非常用光源ユニット４の上に取付台５１の第１板５１１が固定される（図１０参照）。そして、センサ装置５の前端部分が常用光源ユニット３の取付板３２の窓孔３２２を通して取付部３２０の前方へ突出する。つまり、センサ装置５は、金属製の取付板３２に遮られることなく、カバー２を通して電波を送受信することができる。
【００５１】
［６．非常用電源７］
非常用電源７は、例えば、複数本の蓄電池と、これら複数本の蓄電池を収容した電池ケース７０を有する（図３参照）。複数本の蓄電池はそれぞれ、例えば、乾電池型のニッケル水素蓄電池である。電池ケース７０は、合成樹脂などの電気絶縁性を有する材料で筒状に形成されている。非常用電源７は、例えば、器具本体１の左端に収容される（図３参照）。
【００５２】
［７．スイッチブロック８］
スイッチブロック８は、合成樹脂製のハウジング８０内に回路基板を収容して構成されている（図３参照）。当該回路基板には、二つの押しボタンスイッチ、モニタランプ、赤外線受光素子などが実装されている。モニタランプは、例えば、緑色光を放射するＬＥＤチップを有している。赤外線受光素子は、赤外線を通信媒体とする制御信号を受信（受光）し、受信した制御信号から送信フレームを復調するように構成されている。この制御信号は、定期点検の作業を行う作業者に操作されるリモートコントローラから送信される。
【００５３】
ハウジング８０は、合成樹脂材料によって箱状に形成されている。ハウジング８０の下面に四つの孔が開口している。これら四つの孔のうちの二つの孔に操作部材８１が一つずつはめ込まれている。これら二つの操作部材８１は、ハウジング８０の下面に対して押し込み可能となるようにハウジング８０に支持されている。したがって、一方の操作部材８１が押し込まれると一方の押しボタンスイッチがオンされ、他方の操作部材８１が押し込まれると他方の押しボタンスイッチがオンされる。また、残り二つの孔に、モニタランプと赤外線受光素子がそれぞれ一対一で対向している。つまり、モニタランプから放射される緑色光が一方の孔を通してハウジング８０の外に出射される。また、リモートコントローラから送信される制御信号が他方の孔を通して赤外線受光素子で受信（受光）される。
【００５４】
スイッチブロック８は、器具本体１内において非常用電源７の右隣に収容される。ただし、スイッチブロック８は、下側板１２の第２窓１２２からハウジング８０の下面（二つの操作部材８１及び二つの孔）を器具本体１の外に露出させる（図２Ｃ参照）。
【００５５】
［８．回路ブロック６］
回路ブロック６は、図１１に示すように、制御装置６０、充電装置６１及び非常用点灯装置６２を備える。充電装置６１は、系統電源などの常用電源ＰＳから供給される常用電力（交流電力）を直流電力に電力変換し、電力変換した直流電力で非常用電源７を充電する。非常用点灯装置６２は、制御装置６０からの指示に従い、充電装置６１を介して非常用電源７から供給される非常用電力（直流電力）で非常用光源ユニット４の二つの第２ＬＥＤモジュール４０を点灯させる。
【００５６】
制御装置６０は、例えば、マイクロコントローラを有している。制御装置６０は、常用点灯装置３３に入力する電圧を二つの抵抗器Ｒ１、Ｒ２で分圧して検出することによって常用電源ＰＳが停電しているか否かを判断する。制御装置６０は、常用電源ＰＳが停電していないと判断すれば、充電装置６１に非常用電源７を充電させ、かつ、常用点灯装置３３に常用光源ユニット３の二つの第１ＬＥＤモジュール３０を点灯させる。また、制御装置６０は、充電装置６１に非常用電源７を充電させている間、スイッチブロック８のモニタランプを点灯させる。一方、制御装置６０は、常用電源ＰＳが停電していると判断すれば、充電装置６１に非常用電源７の充電を中止させ、かつ、非常用点灯装置６２に非常用光源ユニット４の二つの第２ＬＥＤモジュール４０を点灯させる。
【００５７】
また、制御装置６０は、センサ装置５から検出信号が入力されていない場合、常用点灯装置３３を制御して二つの第１ＬＥＤモジュール３０に供給する電流を定格値の約半分とする。一方、制御装置６０は、センサ装置５から検出信号が入力されている場合、常用点灯装置３３を制御して二つの第１ＬＥＤモジュール３０に供給する電流を定格値とする。なお、制御装置６０は、センサ装置５から検出信号が入力されなくなった時点から所定時間が経過するまでは常用点灯装置３３を制御して二つの第１ＬＥＤモジュール３０に供給する電流を定格値に維持することが好ましい。
【００５８】
さらに、制御装置６０は、スイッチブロック８の二つの押しボタンスイッチのいずれかがオンしたとき、充電装置６１に非常用電源７の充電を中止させ、かつ、非常用点灯装置６２に非常用光源ユニット４の二つの第２ＬＥＤモジュール４０を点灯させる。ただし、制御装置６０は、一方の押しボタンスイッチがオンしている間だけ非常用点灯装置６２に非常用光源ユニット４の二つの第２ＬＥＤモジュール４０を点灯させる。制御装置６０は、他方の押しボタンスイッチがオンされると自己点検を開始し、所定時間（３０分又は６０分）が経過するまで非常用点灯装置６２に非常用光源ユニット４の二つの第２ＬＥＤモジュール４０を点灯させる。なお、制御装置６０は、スイッチブロック８の赤外線受光素子が制御信号を受信した場合も前記自己点検を開始する。
【００５９】
回路ブロック６は、金属製のケース６３を有する（図３参照）。ケース６３内にプリント回路板が収容されている。プリント回路板は、制御装置６０、充電装置６１及び非常用点灯装置６２を構成している。回路ブロック６は、器具本体１内における非常用光源ユニット４の左隣に収容される（図３参照）。回路ブロック６のケース６３は、器具本体１の上側板１１の下面にねじ止めによって固定されることが好ましい。ただし、回路ブロック６のケース６３は、背板１０又は下側板１２に固定されても構わない。
【００６０】
［９．照明器具Ｘ１の施工手順］
上述のように構成される照明器具Ｘ１は、以下に説明する手順で踊り場の壁に設置される。
【００６１】
まず、設置作業を行う作業者は、常用光源ユニット３を取り外した器具本体１を壁に取り付ける。すなわち、作業者は、壁に埋め込まれている二本のアンカーボルトを器具本体１の長穴１０１に通し、これら二本のアンカーボルトにナットを締め付けて器具本体１を壁に固定する。それから、作業者は、器具本体１の丸孔１００に挿通した電源線を端子台１４の一次側の端子に電気的に接続する。
【００６２】
続いて、作業者は、常用光源ユニット３を器具本体１に取り付ける。すなわち、作業者は、常用光源ユニット３の常用点灯装置３３の入力端子と、端子台１４の二次側の端子を電線で電気的に接続する。それから、作業者は、常用光源ユニット３の二つの引掛金具３４の引掛片３４０をそれぞれ、器具本体１の二つの受け金具１３の枠部１３０に一つずつ引っ掛けて器具本体１の前面に常用光源ユニット３を取り付ける。このとき、器具本体１の前面の開口がカバー２のカバー本体２０で塞がれる（図１及び図２Ａ参照）。また、器具本体１の長手方向の両端の開口はそれぞれ、カバー２の一対の突壁２１によって塞がれる（図２Ｂ及び図２Ｃ参照）。
【００６３】
以上の手順で照明器具Ｘ１が壁に設置される。ここで、照明器具Ｘ１は、施工の作業性向上を図るため、二つの第１ＬＥＤモジュール３０を取り付けた取付板３２を、壁に取り付けられる器具本体１に対して着脱可能に分離する構造を採用している。ただし、常用光源ユニット３が器具本体１に取り付けられた状態において、常用光源ユニット３の取付板３２は、背板１０、上側板１１及び下側板１２とともに器具本体１を構成するとみなすことができる。さらに、背板１０、上側板１１、下側板１２及び取付板３２からなる器具本体１の長手方向両端の開口を塞ぐカバー２の左側壁２０３及び右側壁２０４も、器具本体１を構成するとみなすことができる。つまり、器具本体１は、背板１０、上側板１１、下側板１２、取付板３２、カバー２の左側壁２０３及びカバー２の右側壁２０４により、長尺の箱状に形成されていると考えてもよい。
【００６４】
［１０．実施形態１に係る照明器具Ｘ１の特徴］
以下、照明器具Ｘ１の特徴について、更に詳しく説明する。
【００６５】
従来例は、人検知ユニット及び二つの非常用光源ユニットが器具本体の外に露出しているため、照明器具全体のスリム化（短手方向の幅寸法の短縮化）及び短縮化（長手方向の長さ寸法の短縮化）が困難であった。
【００６６】
これに対して、照明器具Ｘ１は、センサ装置５、常用光源ユニット３及び非常用光源ユニット４を器具本体１に収容している（図１−図４参照）。つまり、照明器具Ｘ１は、常用光源ユニット３を収容する器具本体１に非常用光源ユニット４とセンサ装置５を一緒に収容しているので、従来例に比べて、照明器具Ｘ１全体のスリム化及び短縮化を図ることができる。また、照明器具Ｘ１は、二つの第１ＬＥＤモジュール３０とセンサ装置５を一列に並べ、かつ、センサ装置５を二つの第１ＬＥＤモジュール３０に挟まれる位置に配置することにより、更なるスリム化を図っている。さらに、照明器具Ｘ１では、器具本体１の前方から見て、常用光源ユニット３、非常用光源ユニット４及びセンサ装置５を覆うように器具本体１の前面にカバー２が取り付けられる。つまり、照明器具Ｘ１は、常用光源ユニット３、非常用光源ユニット４及びセンサ装置５をカバー２で覆い隠すことにより、外観上の見栄えの向上を図ることができる。またさらに、照明器具Ｘ１では、器具本体１の側方（左右方向）から見て、器具本体１及びカバー２が常用光源ユニット３、非常用光源ユニット４及びセンサ装置５を覆っている。つまり、照明器具Ｘ１は、側方から見たときの外観上の見栄えの向上を図ることができる。なお、照明器具Ｘ１では、器具本体１の下側板１２の下面とパネル４６の下面がほぼ同一平面となっているが、パネル４６の一部が下側板１２の下面から僅かに突出していても構わない。
【００６７】
ところで、センサ装置５の外郭５０が水平方向に対して傾き角θだけ下方に傾くように器具本体１に取り付けられている。そのため、外郭５０の下側面と器具本体１の下側板１２の間に空間（デッドスペース）Ｓ２が生じる（図１０参照）。そこで、照明器具Ｘ１では、非常用光源ユニット４を空間Ｓ２に配置している。つまり、照明器具Ｘ１は、器具本体１内に生じるデッドスペース（空間Ｓ２）に非常用光源ユニット４を配置することにより、器具本体１の更なるスリム化を図ることができる。
【００６８】
また、非常用光源ユニット４は、二つの第２ＬＥＤモジュール４０と導光体４３によってライン状に光を放射するように構成されている。つまり、非常用光源ユニット４は、従来例における非常用光源ユニットのようにドーム状のレンズを使わずに器具本体１の左右方向に照明光を配光することにより、器具本体１の更なるスリム化を図ることができる。
【００６９】
さらに、導光体４３から出射する照明光は、器具本体１の下側板１２に設けられている第１窓１２１を通して器具本体１の外に放射される。この第１窓１２１は、透光性を有するパネル４６で塞がれている。つまり、光が放射される第１窓１２１をパネル４６で塞ぐことにより、虫などの異物が器具本体１内に侵入することを妨げることができる。なお、照明器具Ｘ１において、パネル４６が不燃材料で形成されれば、火災発生時において、金属製の器具本体１とともにパネル４６によって非常用光源ユニット４を保護し、所定時間（３０分又は６０分）の非常用照明を確保することができる。
【００７０】
ここで、第１窓１２１は、器具本体１の前後方向において、センサ装置５の前端（外郭５０の第１底面５０１の下辺）よりも後方に配置されている（図１０参照）。つまり、第１窓１２１の位置は導光体４３の位置と関係しており、第１窓１２１の位置をセンサ装置５の前端よりも前方とした場合、導光体４３の収容スペースを確保するためにセンサ装置５と下側板１２の距離を拡げる必要がある。したがって、照明器具Ｘ１は、第１窓１２１をセンサ装置５の前端よりも後方に配置することによってもスリム化を図ることができる。
【００７１】
（実施形態２）
本開示の実施形態２に係る照明器具（以下、照明器具と略す。）Ｘ２は、階段通路誘導灯である。照明器具Ｘ２の基本構成は、実施形態１に係る照明器具Ｘ１と共通である。したがって、以下の説明においては、照明器具Ｘ２の構成要素のうち、形状及び大きさなどが多少異なっていても、照明器具Ｘ１の構成要素と機能が共通する構成要素については、照明器具Ｘ１の構成要素と共通の符号を付している。また、以下の説明では、特に断りのない限り、図１３に矢印で示す向きにおいて照明器具Ｘ２の前後、上下、左右の各方向を規定する。すなわち、鉛直方向を照明器具Ｘ２の上下方向とし、壁の法線方向を照明器具Ｘ２の前後方向とし、壁に正対したときの左右方向を照明器具Ｘ２の左右方向とする。
【００７２】
照明器具Ｘ２は、図１２〜図１４に示すように、器具本体１及び常用照明ユニット９を備える。常用照明ユニット９は、カバー２、常用光源ユニット３及びセンサ装置５を備える。以下、それぞれの構成要素について詳細に説明する。
【００７３】
［１１．常用光源ユニット３］
常用光源ユニット３は、二つの第１ＬＥＤモジュール３０、二つのレンズブロック３１、取付板３２及び常用点灯装置３３を有する（図１３、図１５−図１９参照）。
【００７４】
［１１−１．第１ＬＥＤモジュール３０］
二つの第１ＬＥＤモジュール３０はそれぞれ、長尺の長方形状に形成されている基板３００と、基板３００の表面（前面）に実装されている複数のＬＥＤ３０１とを有する。基板３００の長手方向の第１端部３００１には、四つのＬＥＤ３０１Ａ、３０１Ｂ、３０１Ｃ及び３０１Ｄがマトリクス状に並べて実装されている（図１９参照）。また、基板３００の長手方向の第２端部３００２には、四つのＬＥＤ３０１がマトリクス状に並べて実装されている。そして、基板３００の第１端部３００１及び第２端部３００２を除く部分には、残りの複数のＬＥＤ３０１が一定の間隔を空けて一列に並ぶように実装されている（図１５及び図１９参照）。
【００７５】
［１１−２．レンズブロック３１］
二つのレンズブロック３１はそれぞれ、図１５−図１８に示すように、ベース部３１０と、第１レンズ３１２と、第２レンズ３１３と、第３レンズ３１４とを有している。ベース部３１０は、長尺の長方形状に形成されている。第１レンズ３１２は、ベース部３１０の長手方向の第１端（取付部３２０の長手方向の中央に近い方の端）に設けられている。第２レンズ３１３は、ベース部３１０の長手方向の第２端（取付部３２０の長手方向の両端）に設けられている。第３レンズ３１４は、ベース部３１０の第１端と第２端の間に設けられている。
【００７６】
第１レンズ３１２及び第２レンズ３１３は、概ね非球面平凸レンズとして構成されている。また、第３レンズ３１４は、概ね非球面シリンドリカルレンズとして構成されている。第３レンズ３１４は、入射した光を幅方向（上下方向）に拡げるような配光特性を有している。一方、第１レンズ３１２及び第２レンズ３１３は、入射した光を幅方向（上下方向）だけでなく長さ方向（左右方向）に拡げるような配光特性を有している。
【００７７】
ベース部３１０、第１レンズ３１２、第２レンズ３１３及び第３レンズ３１４は、ポリカーボネート樹脂などの透光性を有する合成樹脂によって一体に形成されている。ここで、ベース部３１０の第１端には円形のねじ挿通孔が複数（二つ）設けられている。また、ベース部３１０の第１端を除く部分において、ベース部３１０の短手方向（上下方向）の両端のそれぞれに長円形のねじ挿通孔３１０２が複数設けられている（図１５及び図１９参照）。
【００７８】
［１１−３．取付板３２］
取付板３２は、二つの第１ＬＥＤモジュール３０が取り付けられる取付部３２０と、カバー２が固定される一対の固定片３２１と、器具本体１に取り付けるための一対の取付片３２４とを有する（図１５−図１９参照）。
【００７９】
取付部３２０は、長方形の平板状に形成されている。取付部３２０の長手方向の中央に、四角形状の窓孔３２２が設けられている（図１５参照）。窓孔３２２は、取付部３２０を厚み方向（前後方向）に貫通している。
【００８０】
一対の固定片３２１はそれぞれ、長方形の平板状に形成されている。各固定片３２１は、取付部３２０の上端縁と下端縁から一つずつ後方に向かって突出している（図１６−図１９参照）。各固定片３２１の長手方向（左右方向）の中央及び両端のそれぞれにねじ孔３２３が一つずつ設けられている（図１６−図１７参照）。なお、取付部３２０と一対の固定片３２１は、一枚の金属板が打ち抜き加工及び曲げ加工されることによって一体に形成されている。
【００８１】
一対の取付片３２４はそれぞれ、取付部３２０の長手方向の第１端及び第２端から後方に突出している（図１３、図１６−図１７参照）。各取付片３２４は、長方形状の溝３２４０と、二つのねじ穴３２４１を有している（図１３参照）。また、各取付片３２４の後端部分は、上下方向から見てＬ字状に曲げられている（図１６−図１８参照）。さらに、各取付片３２４のＬ字状に曲げられた部分の先端（後端）にはねじ孔が設けられている。そして、このねじ孔にねじ３２５がねじ込まれている。ねじ３２５の先端は、取付部３２０の長手方向に沿って取付片３２４の外側（取付部３２０の窓孔３２２から離れる側）に飛び出している。なお、一対の取付片３２４はそれぞれ、取付部３２０と別体に形成されて取付部３２０にねじ止めされている。ただし、一対の取付片３２４はそれぞれ、取付部３２０と一体に形成されても構わない。
【００８２】
［１１−４．常用点灯装置３３］
常用点灯装置３３は、実施形態１に係る照明器具Ｘ１の常用点灯装置３３と共通である。常用点灯装置３３は、取付部３２０の後面に取り付けられる（図１６−図１８参照）。
【００８３】
［１１−５．常用光源ユニット３の組立て］
二つの第１ＬＥＤモジュール３０及び二つのレンズブロック３１はそれぞれ、取付板３２の取付部３２０の前面に取り付けられる。レンズブロック３１のベース部３１０に設けられた複数のねじ挿通孔３１０２にそれぞれ固定ねじ３１５が１本ずつ挿通される（図１５及び図１９参照）。これら複数本の固定ねじ３１５のそれぞれが、ベース部３１０に設けられている複数のねじ孔に一本ずつねじ込まれることにより、レンズブロック３１が取付部３２０に固定される。一方、第１ＬＥＤモジュール３０は、レンズブロック３１が取付部３２０に固定される際、取付部３２０とレンズブロック３１のベース部３１０に挟まれることで取付部３２０に取り付けられる（図１９参照）。
【００８４】
ここで、基板３００の第１端部３００１に実装されている四つのＬＥＤ３０１Ａ、３０１Ｂ、３０１Ｃ及び３０１Ｄは、前方から見て、レンズブロック３１の第１レンズ３１２と重なっている（図１９参照）。また、基板３００の第２端部３００２に実装されている四つのＬＥＤ３０１は、前方から見て、レンズブロック３１の第２レンズ３１３と重なっている（図１５参照）。さらに、基板３００の第１端部３００１及び第２端部３００２を除く部分に実装されている残りの複数のＬＥＤ３０１は、前方から見て、レンズブロック３１の第３レンズ３１４と重なっている（図１５及び図１９参照）。つまり、基板３００の第１端部３００１に実装されている四つのＬＥＤ３０１Ａ−３０１Ｄから放射される照明光の配光特性は、第１レンズ３１２によって制御される。また、基板３００の第２端部３００２に実装されている四つのＬＥＤ３０１から放射される照明光の配光特性は、第２レンズ３１３によって制御される。さらに、基板３００の第１端部３００１及び第２端部３００２を除く部分に実装されている残りの複数のＬＥＤ３０１から放射される照明光の配光特性は、第３レンズ３１４によって制御される。
【００８５】
［１２．センサ装置５］
センサ装置５は、実施形態１に係る照明器具Ｘ１のセンサ装置５と共通である。センサ装置５は、取付台５２を介して常用光源ユニット３の取付板３２に取り付けられる（図１６−図１８参照）。
【００８６】
取付台５２は、前面が開放された箱体５２１と、箱体５２１の左側面及び右側面から突出する一対の固定突片５２２とを有する。箱体５２１の底壁に一対の孔５２１０が貫通している（図１６及び図１８参照）。センサ装置５の外郭５０は、外郭５０の後端から後方に突出する一対の引掛片５２３を備えている。
【００８７】
しかして、センサ装置５は、外郭５０の一対の引掛片５２３を取付台５２の底壁の一対の孔に一つずつ挿通し、底壁における孔の縁に引掛片５２３を引っ掛けることにより、取付台５２の底壁に取り付けられる（図１６及び図１８参照）。
【００８８】
取付台５２は、一対の固定突片５２２を取付板３２の取付部３２０にねじ止めすることで取付板３２に取り付けられる（図１８参照）。なお、一対の固定突片５２２はそれぞれ、取付部３２０の後面における窓孔３２２の左右両隣にねじ止めされる。したがって、取付台５２に取り付けられたセンサ装置５は、外郭５０の前端部分を取付板３２の窓孔３２２を通して取付部３２０の前方へ突出させる（図１３及び図１５参照）。その結果、センサ装置５は、金属製の取付板３２に遮られることなく、電波を送受信することができる。また、センサ装置５の前面は、壁面の法線方向（水平方向）に対して傾き角だけ下方に傾くように取付部３２０に取り付けられる。なお、この傾き角は、例えば、２３°から２４°程度が好ましい。
【００８９】
［１３．カバー２］
カバー２は、カバー本体２０と一対のカバーエンド２２を有する（図１３及び図１４参照）。カバー本体２０は、前壁２００、上側壁２０１及び下側壁２０２を有して後面及び左右の両側面が開口した長尺の角とい状に形成されている。前壁２００は、左右方向を長手方向とする長尺の長方形状に形成されている。上側壁２０１は、長尺の長方形状に形成されて前壁２００の長手方向に沿った上端から後方に突出している。下側壁２０２は、長尺の長方形状に形成されて前壁２００の長手方向に沿った下端から後方に突出している。カバー本体２０は、透光性を有する合成樹脂（例えば、ポリカーボネート樹脂又はアクリル樹脂など）の成形体で構成されている。
【００９０】
カバー本体２０の上側壁２０１の後端及び下側壁２０２の後端のそれぞれに、長穴状のねじ挿通穴２０５が三つずつ設けられている（図１３参照）。これらのねじ挿通穴２０５のそれぞれに取付ねじ２３が一本ずつ挿通される。そして、一対の固定片３２１のそれぞれに設けられている複数のねじ穴３２１０に取付ねじ２３が一本ずつねじ込まれることにより、カバー本体２０が取付板３２に取り付けられる（図１４参照）。カバー本体２０が取付板３２に取り付けられた状態では、カバー本体２０の後面が取付板３２によって塞がれる。
【００９１】
一対のカバーエンド２２はそれぞれ、同一の形状及び寸法に形成されている。カバーエンド２２は、図２０に示すように、カバーエンド本体２２０、側壁２２１、第１引掛部２２２及び第２引掛部２２３を有する。なお、カバーエンド本体２２０、側壁２２１、第１引掛部２２２及び第２引掛部２２３は、例えば、９０％以上の光反射率を有する合成樹脂の成形体として一体に形成されることが好ましい。
【００９２】
カバーエンド本体２２０は、長方形の平板状に形成されている。側壁２２１は、カバーエンド本体２２０の二つの長辺（上端と下端）及び一つの短辺（前端）から側方に突出している。
【００９３】
第１引掛部２２２は、横片２２２０と縦片２２２１を有する。横片２２２０及び縦片２２２１はそれぞれ、長手方向の長さが互いに等しい矩形の平板状に形成されている。横片２２２０は、カバーエンド本体２２０の内底面における中央から上端及び下端の側壁２２１と平行するように突出している。縦片２２２１は、横片２２２０の先端から横片２２２０の上下両側に突出している。しかして、第１引掛部２２２は、カバーエンド本体２２０の長手方向（前後方向）から見て、丁字状に形成されている。
【００９４】
一対の第２引掛部２２３はそれぞれ、長尺の台形状に形成されている。一対の第２引掛部２２３は、第１引掛部２２２を挟んで互いに対向するようにカバーエンド本体２２０の内底面から突出している。各第１引掛部２２２は、カバーエンド本体２２０の後端から前端に向かって、カバーエンド本体２２０の内底面からの突出量を徐々に増やすように傾斜する傾斜部２２３０を有する。また、各第１引掛部２２２における傾斜部２２３０の前方に、半円形状の凹部２２３１を有する。さらに、各第１引掛部２２２の前端部分には、カバーエンド本体２２０の厚み方向（左右方向）に突出する突部２２３２が設けられている。
【００９５】
これら一対のカバーエンド２２は、後述するように器具本体１に着脱可能に取り付けられてカバー本体２０の左右両側面を塞ぐように構成されている（図１２Ｃ参照）。そして、二つの第１ＬＥＤモジュール３０から放射される照明光は、カバー本体２０を透過して空間（階段室の踊り場及び階段など）に照射される。ただし、二つの第１ＬＥＤモジュール３０から放射される照明光の一部は、一対のカバーエンド２２に反射した後、カバー本体２０を透過して空間に照射される。
【００９６】
［１４．器具本体１］
器具本体１は、図１３に示すように、第１器具本体１６と第２器具本体１７を有する。第２器具本体１７は、第１器具本体１６に対して着脱可能に結合される。そして、第１器具本体１６と第２器具本体１７が結合されることによって、前面が開口した長尺箱状の器具本体１が構成される。
【００９７】
［１４−１．第１器具本体１６］
第１器具本体１６は、背板１６０、底板１６１及び一対の支持板１６２を有している（図１３参照）。ただし、背板１６０、底板１６１及び一対の支持板１６２は、一枚の金属板が曲げ加工されることで一体に形成されている。背板１６０と底板１６１はそれぞれ、互いに長さの等しい長尺の矩形平板状に形成されている。底板１６１は、背板１６０の長手方向に沿った一端（下端）から前方へ突出している。また、背板１６０の長手方向に沿った他端（上端）から前方へ補強片１６１０が突出している。ただし、補強片１６１０の長さは、背板１６０の長さよりも短くされている。つまり、背板１６０の上端における左側の端部には補強片１６１０が設けられていない（図１３参照）。
【００９８】
各支持板１６２は、矩形の平板状に形成されている。各支持板１６２は、第１溝１６２１、第２溝１６２２及び第３溝１６２３を有している（図１３参照）。第１溝１６２１は、各支持板１６２の上端から上下方向のほぼ中央に至る直線状に形成されている。第２溝１６２２は、第１溝１６２１の下端から後方に延びる直線状に形成されている。第３溝１６２３は、第１溝１６２１の下端から斜め上前方に延びる直線状に形成されている。また、各支持板１６２における第１溝１６２１、第２溝１６２２及び第３溝１６２３の下方に円形のねじ挿通穴１６２４が貫通している。
【００９９】
背板１６０は、図１３に示すように、二つの丸孔１６００と、四つの長穴１６０１が設けられている。二つの丸孔１６００には、常用電源から常用電力が供給される電源線、及び建物に設置されている自動火災報知設備から自火報連動信号を受信するための信号線が挿通される。また、四つの長穴１６０１のうちの少なくとも左右両側の二つの長穴１６０１にアンカーボルトが挿通される。アンカーボルトは、階段室の踊り場の壁（コンクリート壁）に埋め込まれている。長穴１６０１に挿通されたアンカーボルトにナットが締め付けられることにより、第１器具本体１６が壁に固定される。
【０１００】
また、背板１６０の前面に固定部材１６３が取り付けられる（図１３参照）。固定部材１６３は、矩形平板状の第１固定板１６３１と、第１固定板１６３１の長手方向に沿った一端（上端）から前方へ突出する平板状の第２固定板１６３２とを有する。
【０１０１】
第１固定板１６３１は、背板１６０に固定される。また、第１固定板１６３１の前面の右端に複数の端子台１４、１５が取り付けられる。さらに、第１固定板１６３１の前面の左端にスイッチブロック８が取り付けられる。第２固定板１６３２の下面に回路ブロック６が取り付けられる。なお、第１器具本体１６の左端に非常用電源７が収められる。ただし、回路ブロック６、非常用電源７及びスイッチブロック８は、実施形態１に係る照明器具Ｘ１の回路ブロック６、非常用電源７及びスイッチブロック８と共通するので説明を省略する。
【０１０２】
底板１６１の長手方向の中央に第１窓１６１１が設けられ、底板１６１の左端に第２窓１６１２が設けられている（図１２Ｂ参照）。第１窓１６１１及び第２窓１６１２はそれぞれ、長手方向を底板１６１の長手方向（左右方向）に一致させた長尺の角穴状に形成されている。スイッチブロック８の一部が第２窓１６１２を通して器具本体１の外に露出する（図１２Ｂ参照）。
【０１０３】
［１４−２．第２器具本体１７］
第２器具本体１７は、天板１７０と、一対の側板１７１と、天板１７０と一対の側板１７１を連結する連結板１７２とを有している（図１３−図１４参照）。ただし、天板１７０と一対の側板１７１と連結板１７２は、一枚の金属板が曲げ加工されることで一体に形成されている。
【０１０４】
天板１７０は、長尺の矩形平板状に形成されている。連結板１７２は、逆Ｕ字状に形成されている。連結板１７２は、天板１７０の長手方向に沿った後端から下向きに突出している。
【０１０５】
一対の側板１７１はそれぞれ、四角形状に形成されている。一対の側板１７１は、連結板１７２の長手方向の両端（左端及び右端）から前方に突出している。各側板１７１は、縦溝１７１１、横溝１７１２、一対の突起１７１３及びねじ挿通穴１７１４を有している（図１３−図１４参照）。縦溝１７１１は、各側板１７１の下端から上下方向の中央まで直線状に延びている。横溝１７１２は、各側板１７１の前端から前後方向の中央まで直線状に延びている。一対の突起１７１３はそれぞれ、半円筒状に形成されている。一対の突起１７１３は、側板１７１の外側の側面における中央部において、上下方向と平行し、かつ、直線上に並ぶように各側板１７１と一体に形成されている。ねじ挿通穴１７１４は、縦溝１７１１と下側の突起１７１３の間の位置に設けられている。
【０１０６】
［１５．非常用光源ユニット４］
非常用光源ユニット４は、図２１−図２６に示すように、二つの第２ＬＥＤモジュール４０、二つの導光体４３、二つの放熱板４４、パネル４６、ホルダ４７、取付枠４８を有している。
【０１０７】
［１５−１．第２ＬＥＤモジュール４０］
二つの第２ＬＥＤモジュール４０はそれぞれ、チップ・オン・ボード（Chip on Board）型の照明用白色ＬＥＤである。二つの第２ＬＥＤモジュール４０はそれぞれ、ホルダ４７に支持される。
【０１０８】
［１５−２．放熱板４４］
二つの放熱板４４は、熱の良導体である金属材料（例えば、アルミ又はアルミ合金）によって、互いに同一の形状及び寸法に形成されている。各放熱板４４は、平板状の第１固定片４４１と、第１固定片４４１の下端から階段状に突出する第２固定片４４２とを有している（図２１参照）。第１固定片４４１は、角穴からなる三つの引掛穴４４３と、丸孔からなる三つの位置決め穴４４４とを有している。三つの引掛穴４４３は、第１固定片４４１の上部において前後方向に直線状に並ぶように第１固定片４４１を厚み方向（左右方向）に貫通している。三つの位置決め穴４４４は、第１固定片４４１の引掛穴４４３から下側の部位において三角形の頂点に位置するように第１固定片４４１を厚み方向に貫通している。なお、第２固定片４４２の先端部分には、二つのねじ挿通穴４４２０が貫通している。
【０１０９】
［１５−３．導光体４３］
一対の導光体４３はそれぞれ、石英ガラス又はケイ酸塩ガラスなどの無機ガラスによって角すい台状に形成されている。なお、各導光体４３の斜面（上面）には、複数の溝が各導光体４３の軸方向（長手方向）に沿って等間隔に並ぶように形成されることが好ましい。なお、各導光体４３は、ポリカーボネート樹脂又はアクリル樹脂などの透光性を有する合成樹脂材料で形成されても構わない。
【０１１０】
［１５−４．パネル４６］
パネル４６は、透光性を有する不燃材料、例えば、石英ガラス又はケイ酸塩ガラスなどの無機ガラスによって長方形の平板状に形成されている（図２１参照）。なお、パネル４６の下面における周縁にシール部材４６０が密着される。
【０１１１】
［１５−５  ホルダ４７］
ホルダ４７は、二つのＬＥＤ支持部４７０、導光体支持部４７１、パネル収容部４７２、第１反射部４７３及び第２反射部４７４を有している。
【０１１２】
［１５−５−１  ＬＥＤ支持部４７０］
二つのＬＥＤ支持部４７０はそれぞれ、第２ＬＥＤモジュール４０を一つずつ支持する。各ＬＥＤ支持部４７０は、第２ＬＥＤモジュール４０を収容する凹所４７００を備えている（図２１及び図２７参照）。凹所４７００の側面には、三角状の複数の突起４７０１が間隔を空けて突出している（図２７参照）。第２ＬＥＤモジュール４０は、複数の突起４７０１を押し潰すようにして凹所４７００に圧入されることによって、凹所４７００に収容された状態に維持される。
【０１１３】
各ＬＥＤ支持部４７０において、凹所４７００の底面には、第２ＬＥＤモジュール４０から放射される照明光を通過させるための開口部４７０４が貫通している。さらに、各ＬＥＤ支持部４７０の凹所４７００に、たわみ片４７０５が形成されている。たわみ片４７０５は、直方体状に形成されている。たわみ片４７０５は、長手方向の一端部（後端部）においてＬＥＤ支持部４７０に片持ち支持されている。しかして、たわみ片４７０５の先端部は、開口部４７０４内において、ＬＥＤ支持部４７０の厚み方向（左右方向）に沿って変位可能である。
【０１１４】
また、各ＬＥＤ支持部４７０には、二つの引掛爪４７０２と、二つの突起４７０３が設けられている。二つの引掛爪４７０２はそれぞれ、放熱板４４の第１固定片４４１に設けられた三つの引掛穴４４３のうちの二つの引掛穴４４３に挿通された状態で、第１固定片４４１における引掛穴４４３の周囲に引っ掛かるように構成されている（図２８−図２９参照）。また、二つの突起４７０３はそれぞれ、第１固定片４４１に設けられた三つの位置決め穴４４４のうちの二つの位置決め穴４４４に挿通された後に熱かしめされる。しかして、各ＬＥＤ支持部４７０は、二つの引掛爪４７０２と二つの突起４７０３によって第１固定片４４１に固定される。ただし、第１固定片４４１と第２ＬＥＤモジュール４０の間には熱伝導シート４００が挟み込まれる。つまり、第２ＬＥＤモジュール４０は、熱伝導シート４００を介して放熱板４４と熱的に結合される。
【０１１５】
［１５−５−２  導光体支持部４７１］
導光体支持部４７１は、二つの収容凹部４７１０と、橋架部４７１１と、二つの突部４７１２とを有する（図２１及び図２９参照）。
【０１１６】
二つの収容凹部４７１０はそれぞれ、長尺の角とい状に形成されている。また、二つの収容凹部４７１０は、直線状に並ぶように一体に形成されている。各収容凹部４７１０の長手方向の第１端がＬＥＤ支持部４７０と結合している。各収容凹部４７１０の内部の空間は、ＬＥＤ支持部４７０の凹所４７００の開口部４７０４とつながっている。また、各収容凹部４７１０の底面は、長手方向に沿って開口部４７０４から離れるに連れて、収容凹部４７１０の開口面（下面）に近付くように傾斜している（図２９参照）。
【０１１７】
橋架部４７１１は、直方体状に形成されている。橋架部４７１１は、二つの収容凹部４７１０のそれぞれの長手方向の第２端において、各収容凹部４７１０を幅方向にまたいでいる（図２１参照）。
【０１１８】
二つの突部４７１２はそれぞれ、直方体状に形成されている。各突部４７１２は、橋架部４７１１の内側面（二つの収容凹部４７１０の底面と対向する面）及び各収容凹部４７１０の内側面から突出している（図２９参照）。
【０１１９】
導光体４３は、ＬＥＤ支持部４７０の開口部４７０４から収容凹部４７１０内に挿入される。このとき、導光体４３は、導光体４３の先端面が導光体支持部４７１の突部４７１２に当たる位置で止まる（図２９参照）。導光体４３の斜面の後端部に爪４３０が設けられている（図３０及び図３１参照）。ＬＥＤ支持部４７０のたわみ片４７０５は、導光体４３が収容凹部４７１０に挿入される過程において、爪４３０に押されてたわむ。そして、導光体４３の先端面が突部４７１２に当たると、たわみ片４７０５の先端が爪４３０を乗り越えて元の状態（たわんでいない状態）に復帰する。その結果、導光体４３は、たわみ片４７０５の先端が爪４３０に引っ掛かることによって、収容凹部４７１０に収容された状態で導光体支持部４７１に支持される（図３０及び図３１参照）。
【０１２０】
［１５−５−３  第１反射部４７３及び第２反射部４７４］
第１反射部４７３及び第２反射部４７４はそれぞれ、長尺の矩形平板状に形成されている（図２１参照）。第１反射部４７３の長手方向に沿った一方の縁は、二つの収容凹部４７１０の長手方向に沿った一方の縁とつながっている。第１反射部４７３の長手方向に沿った他方の縁は、第２反射部４７４の長手方向に沿った一方の縁とつながっている。第１反射部４７３及び第２反射部４７４のそれぞれの表面（下面）は、例えば、白色に着色されることによって反射率が高められている。
【０１２１】
［１５−５−４  パネル収容部４７２］
パネル収容部４７２は、二つの収容凹部４７１０、第１反射部４７３及び第２反射部４７４を囲むように矩形の枠状に形成されている（図２１参照）。
【０１２２】
［１５−６  取付枠４８］
取付枠４８は、枠体４８０、二つの第１固定板４８１、第２固定板４８２及び二つの補強板４８３を有している（図２１−図２６参照）。なお、枠体４８０、第１固定板４８１、第２固定板４８２及び二つの補強板４８３は、一枚の金属板によって一体に形成されている。
【０１２３】
枠体４８０は、中央に窓４８００を有して長尺の矩形枠状に形成されている。枠体４８０の長手方向に沿った両端のそれぞれから補強板４８３が一つずつ曲げ起こされている。つまり、二つの補強板４８３は、枠体４８０を補強して機械的強度を向上させている。なお、二つの補強板４８３のそれぞれの長手方向の両端は、枠体４８０の長手方向の両端から枠体４８０の長手方向に沿って枠体４８０の外に突出している。
【０１２４】
二つの第１固定板４８１はそれぞれ、平板部４８１０と一対の脚部４８１１とを有している（図２１及び図２２参照）。平板部４８１０は矩形平板状に形成されている。一対の脚部４８１１はそれぞれ、矩形平板状に形成され、平板部４８１０の長手方向の両端と一つずつつながっている。一対の脚部４８１１は、平板部４８１０に対して傾いている。各脚部４８１１の先端は、二つの補強板４８３のそれぞれの長手方向の端とつながっている。
【０１２５】
第２固定板４８２は、二つの補強板４８３のうちの後側の補強板４８３の上縁から上向きに突出している（図２５参照）。第２固定板４８２の長手方向（左右方向）の両端に円形のねじ挿通穴４８２０が設けられている。
【０１２６】
二つの第１固定板４８１のそれぞれの平板部４８１０に、放熱板４４の第２固定片４４２が一つずつねじ止めされることにより、二つの放熱板４４を介してホルダ４７が取付枠４８に取り付けられる。ここで、ホルダ４７が取付枠４８に取り付けられると、ホルダ４７のパネル収容部４７２に収容されているパネル４６が、取付枠４８の枠体４８０の窓４８００と対向する。ただし、枠体４８０とパネル４６の間の隙間が矩形枠状のシール部材４６０によってシールされる（図２９参照）。
【０１２７】
［１５−７  非常用光源ユニット４の取付構造］
非常用光源ユニット４は、取付枠４８の第２固定板４８２を固定部材１６３の第１固定板１６３１の前面にねじ止めすることにより、固定部材１６３を介して第１器具本体１６（器具本体１）に取り付けられる（図１３参照）。ここで、非常用光源ユニット４が第１器具本体１６に取り付けられると、第１器具本体１６の底板１６１の第１窓１６１１と取付枠４８の枠体４８０の窓４８００が上下方向に重なる。その結果、パネル４６を透過した照明光が第１窓１６１１を通して器具本体１の外（踊り場の床面など）に照射される。
【０１２８】
［１６．照明器具Ｘ２の施工手順］
上述のように構成される照明器具Ｘ２は、以下に説明する手順で踊り場の壁に設置される（図３２−図３５参照）。
【０１２９】
まず、設置作業を行う作業者は、壁に埋め込まれている二本のアンカーボルトを第１器具本体１６の背板１６０の長穴１６０１に通し、これら二本のアンカーボルトにナットを締め付けて第１器具本体１６を壁に固定する。それから、作業者は、第１器具本体１６の丸孔１６００に挿通した電源線を端子台１４の一次側の端子に電気的に接続する。
【０１３０】
続いて、作業者は、常用照明ユニット９を第１器具本体１６に取り付ける。まず、作業者は、常用光源ユニット３の取付板３２に取り付けられている２本のねじ３２５の先端を、第１器具本体１６の二つの支持板１６２の第１溝１６２１のそれぞれの上端から挿入し、第１溝１６２１の下端まで移動させる（図３２Ｂ参照）。さらに、作業者は、２本のねじ３２５の先端を、第３溝１６２３の下端からそれぞれの上端まで移動させる（図３３Ｂ参照）。このとき、常用照明ユニット９は、カバー本体２０の下側壁２０２において、第１器具本体１６の底板１６１の前端と接触している部分を回転軸として回転する。その結果、カバー本体２０の上側壁２０１の後端と第１器具本体１６の背板１６０の上端との間隔Ｄ１が広がる（図３２Ａ及び図３３Ａ参照）。そして、作業者は、カバー本体２０の上側壁２０１の後端と第１器具本体１６の背板１６０の上端の隙間（開口）から手を入れて常用光源ユニット３の常用点灯装置３３の入力端子と、端子台１４の二次側の端子を電線で電気的に接続する。その後、作業者は、常用照明ユニット９を逆方向に回転させ、２本のねじ３２５の先端を第３溝１６２３の上端からそれぞれの下端まで移動させる（図３２Ｂ参照）。さらに、作業者は、２本のねじ３２５の先端が第３溝１６２３の下端から第２溝１６２２の後端に達するまで常用照明ユニット９を後方に移動させる（図３４Ｂ参照）。
【０１３１】
続いて、作業者は、第１器具本体１６に第２器具本体１７を結合させる。まず、作業者は、第２器具本体１７の二つの側板１７１の縦溝１７１１に、２本のねじ３２５の先端をそれぞれ一つずつ挿入し、各ねじ３２５の先端が縦溝１７１１の上端に達するまで第２器具本体１７を下向きに移動させる。次に、作業者は、各側板１７１のねじ挿通穴１７１４、及び第１器具本体１６の支持板１６２のねじ挿通穴１６２４にねじ１８を挿通する（図１２及び図１３参照）。さらに、作業者は、二つのねじ挿通穴１７１４、１６２４に挿通したねじ１８を、常用光源ユニット３の取付板３２の取付片３２４が有するねじ穴３２４１にねじ込む。その結果、第１器具本体１６、第２器具本体１７及び常用光源ユニット３の取付板３２が２本のねじ１８によって固定される。
【０１３２】
最後に、作業者は、一対のカバーエンド２２を器具本体１に取り付ける。まず、作業者は、カバーエンド２２を器具本体１の側面に沿って後方へ移動させ、カバーエンド本体２２０の第１引掛部２２２の横片２２２０を、器具本体１の前方から、第２器具本体１７の側板１７１の横溝１７１２に挿入する。このとき、第１引掛部２２２の縦片２２２１は、常用光源ユニット３の取付片３２４の溝３２４０に挿入される（図３５参照）。そして、作業者がカバーエンド２２を更に後方へ移動させると、第２器具本体１７の側板１７１の一対の突起１７１３が、カバーエンド２２の一対の第２引掛部２２３の凹部２２３１に嵌まる（図３６参照）。これにより、一対のカバーエンド２２がそれぞれ、器具本体１の長手方向の両端に一つずつ取り付けられる。
【０１３３】
以上の手順で照明器具Ｘ２が壁に設置される。
【０１３４】
［１７．非常用電源７の交換手順］
次に、照明器具Ｘ２の非常用電源７を交換する際の手順を説明する。まず、交換作業を行う作業者は、カバーエンド２２を器具本体１の前方へ引っ張り、取付片３２４の溝３２４０から第２器具本体１７の側板１７１の突起１７１３を離し、器具本体１からカバーエンド２２を取り外す。
【０１３５】
続いて、作業者は、ねじ１８を外した後、第２器具本体１７を第１器具本体１６から取り外す。それから、作業者は、２本のねじ３２５の先端を第３溝１６２３の下端からそれぞれの上端まで移動させるように常用照明ユニット９を回転させる（図３３Ｂ参照）。そして、作業者は、常用照明ユニット９のカバー本体２０の上側壁２０１の後端と第１器具本体１６の背板１６０の上端の隙間（開口）から手を入れて非常用電源７を取り出し、新しい非常用電源７を第１器具本体１６内に収容する。その後、作業者は、常用照明ユニット９を逆方向に回転させ、２本のねじ３２５の先端を第３溝１６２３の上端からそれぞれの下端まで移動させる（図３２Ｂ参照）。さらに、作業者は、２本のねじ３２５の先端が第３溝１６２３の下端から第２溝１６２２の後端に達するまで常用照明ユニット９を後方に移動させる（図３４Ｂ参照）。
【０１３６】
最後に、作業者は、一対のカバーエンド２２を器具本体１に取り付ける。以上の手順で非常用電源７の交換作業が完了する。
【０１３７】
［１８．実施形態２に係る照明器具Ｘ２の特徴］
以下、実施形態２に係る照明器具Ｘ２の特徴を更に詳しく説明する。ただし、実施形態２に係る照明器具Ｘ２の特徴のうち、実施形態１に係る照明器具Ｘ１の特徴と共通の特徴については説明を省略する。
【０１３８】
照明器具Ｘ２において、器具本体１は、第１器具本体１６と第２器具本体１７を有している。第１器具本体１６は、造営材（踊り場の壁）に取り付けられる背板１６０と、背板１６０の下端縁から前方へ突出する底板１６１とを有している。第２器具本体１７は、第１器具本体１６と離脱可能に結合され、第１器具本体１６と結合された状態において底板１６１と対向する天板１７０を有している。つまり、第１器具本体１６と第２器具本体１７が結合されることによって、前面が開放された箱形の器具本体１が構成される。
【０１３９】
照明器具Ｘ２は、第２器具本体１７を離脱させた状態で第１器具本体１６を造営材に取り付けることができるので、造営材に対する器具本体１の取付作業における作業性の向上を図ることができる。また、照明器具Ｘ２は、第１器具本体１６から第２器具本体１７を離脱させることによって、器具本体１内に収容される非常用電源７の交換作業における作業性の向上を図ることができる。
【０１４０】
また、照明器具Ｘ２において、センサ装置５は、器具本体１ではなく、常用光源ユニット３の取付板３２に取り付けられている。センサ装置５が取付板３２に取り付けられることにより、センサ装置５を器具本体１に取り付ける場合に比べて、センサ装置５と第１ＬＥＤモジュール３０の位置関係のずれが生じにくい。その結果、照明器具Ｘ２は、センサ装置５と第１ＬＥＤモジュール３０の位置関係のずれの抑制を図ることができる。
【０１４１】
［１９．その他］
上述した照明器具Ｘ１、Ｘ２において、カバー２は、第１ＬＥＤモジュール３０とセンサ装置５の前方、上方、下方、左方及び右方を覆うように構成されているが、少なくとも第１ＬＥＤモジュール３０とセンサ装置５の前方を覆うように構成されればよい。また、照明器具Ｘ１、Ｘ２は、照明光を透過しないカバーで第１ＬＥＤモジュール３０とセンサ装置５の前方、左方及び右方を覆い、第１ＬＥＤモジュール３０の上方及び下方に照明光を照射するように構成されても構わない。
【０１４２】
［２０．まとめ］
上述のように第１の態様に係る照明器具（Ｘ１；Ｘ２）は、周囲の状況を検出するセンサ装置（５）と、センサ装置（５）が検出する周囲の状況に応じて点灯する第１の光源（常用光源ユニット３）とを備える。第１の態様に係る照明器具（Ｘ１；Ｘ２）は、センサ装置（５）が検出する周囲の状況に関わらずに点灯する第２の光源（第２ＬＥＤモジュール４０及び導光体４３）と、センサ装置（５）、第１の光源及び第２の光源を収容する器具本体（１）とを備える。第１の態様に係る照明器具（Ｘ１；Ｘ２）は、第１の光源と対向して器具本体（１）に取り付けられるカバー（２）を備える。器具本体（１）は、複数の壁（背板１０；背板１６０、上側板１１；天板１７０、下側板１２；底板１６１）で囲った箱状に形成されている。第２の光源は、複数の壁のうちの一つの壁（下側板１２；底板１６１）とセンサ装置（５）に挟まれた空間（Ｓ２）に配置されている。
【０１４３】
第１の態様に係る照明器具（Ｘ１；Ｘ２）は、第１の光源を収容する器具本体（１）に第２の光源とセンサ装置（５）を一緒に収容するので、従来例に比べて、スリム化及び短縮化を図ることができる。
【０１４４】
第２の態様に係る照明器具（Ｘ１；Ｘ２）は、第１の態様との組合せにより実現され得る。第２の態様に係る照明器具（Ｘ１；Ｘ２）において、センサ装置（５）は、直方体状の外郭（５０）を有することが好ましい。センサ装置（５）は、一つの壁（下側板１２；底板１６１）に対して、外郭（５０）の側面を傾けて配置されていることが好ましい。空間（Ｓ２）は、一つの壁と外郭（５０）の側面の間に形成されていることが好ましい。
【０１４５】
第２の態様に係る照明器具（Ｘ１；Ｘ２）は、器具本体（１）内に生じる空間（Ｓ２）に第２の光源が配置されることにより、更なるスリム化を図ることができる。
【０１４６】
第３の態様に係る照明器具（Ｘ１；Ｘ２）は、第１又は第２の態様のいずれかとの組合せにより実現され得る。第３の態様に係る照明器具（Ｘ１；Ｘ２）において、第２の光源は、ライン状に光を放射するように構成されていることが好ましい。
【０１４７】
第３の態様に係る照明器具（Ｘ１；Ｘ２）は、レンズを使わずに光を配光することにより、更なるスリム化を図ることができる。
【０１４８】
第４の態様に係る照明器具（Ｘ１；Ｘ２）は、第３の態様との組合せにより実現され得る。第４の態様に係る照明器具（Ｘ１；Ｘ２）において、器具本体（１）は、第２の光源が放射するライン状の光を通過させる窓（第１窓１２１；第１窓１６１１）を有することが好ましい。透光性を有する材料で板状に形成され、窓を塞ぐように器具本体（１）に取り付けられるパネル（４６）を備えることが好ましい。
【０１４９】
第４の態様に係る照明器具（Ｘ１；Ｘ２）は、パネル（４６）によって器具本体（１）の窓を塞ぐことにより、虫などの異物が器具本体（１）内に侵入することを妨げることができる。
【０１５０】
第５の態様に係る照明器具（Ｘ１；Ｘ２）は、第４の態様との組合せにより実現され得る。第５の態様に係る照明器具（Ｘ１；Ｘ２）において、窓は、一つの壁（下側板１２；底板１６１）に設けられ、かつ、器具本体（１）の前後方向において、センサ装置（５）の前端よりも後方に配置されていることが好ましい。
【０１５１】
第５の態様に係る照明器具（Ｘ１；Ｘ２）は、窓をセンサ装置（５）の前端よりも前方に設ける場合に比べて、更なるスリム化を図ることができる。
【０１５２】
第６の態様に係る照明器具（Ｘ１；Ｘ２）は、第１−第５の態様のいずれかとの組合せにより実現され得る。第６の態様に係る照明器具（Ｘ１）において、器具本体（１）は、長尺の箱状に形成されることが好ましい。センサ装置（５）は、器具本体（１）の長手方向に沿って第１の光源と一列に並ぶように配置されていることが好ましい。
【０１５３】
第６の態様に係る照明器具（Ｘ１；Ｘ２）は、センサ装置（５）を器具本体（１）の長手方向に沿って第１の光源と一列に並ぶように配置することにより、更なるスリム化を図ることができる。
【０１５４】
第７の態様に係る照明器具（Ｘ１；Ｘ２）は、第１−第６の態様のいずれかとの組合せにより実現され得る。第７の態様に係る照明器具（Ｘ１；Ｘ２）において、カバー（２）は、器具本体（１）の前方から見て第１の光源とセンサ装置（５）と第２の光源を覆うように器具本体（１）に取り付けられることが好ましい。
【０１５５】
第７の態様に係る照明器具（Ｘ１；Ｘ２）は、第１の光源、第２の光源及びセンサ装置（５）をカバー（２）で覆い隠すことにより、外観上の見栄えの向上を図ることができる。
【０１５６】
第８の態様に係る照明器具（Ｘ１；Ｘ２）は、第７の態様との組合せにより実現され得る。第８の態様に係る照明器具（Ｘ１；Ｘ２）において、器具本体（１）及びカバー（２）は、器具本体（１）の側方向（左右方向）から見て第１の光源とセンサ装置（５）と第２の光源を覆っていることが好ましい。
【０１５７】
第８の態様に係る照明器具（Ｘ１；Ｘ２）は、器具本体（１）の側方から見たときの外観上の見栄えの向上を図ることができる。
【０１５８】
第９の態様に係る照明器具（Ｘ１；Ｘ２）は、第１−第８の態様のいずれかとの組合せにより実現され得る。第９の態様に係る照明器具（Ｘ１；Ｘ２）は、常用電源（ＰＳ）から供給される常用電力で第１の光源を点灯させる常用点灯装置（３３）と、常用電力で充電される非常用電源（７）とを備えることが好ましい。常用電源（ＰＳ）の停電時に非常用電源（７）から供給される非常用電力で第２の光源を点灯させる非常用点灯装置（６２）を備えることが好ましい。常用点灯装置（３３）、非常用電源（７）及び非常用点灯装置（６２）は器具本体（１）内に収容されていることが好ましい。
【０１５９】
第９の態様に係る照明器具（Ｘ１；Ｘ２）は、平常時には常用点灯装置（３３）で第１の光源を点灯させて常用照明を行い、非常時には非常用電源（７）の非常用電力で非常用点灯装置（６２）に第２の光源を点灯させて非常用照明を行うことができる。
【０１６０】
第１０の態様に係る照明器具（Ｘ２）は、第９の態様との組合せにより実現され得る。第１０の態様に係る照明器具（Ｘ２）において、器具本体（１）は、第１器具本体（１６）と第２器具本体（１７）を有することが好ましい。第１器具本体（１６）は、造営材に取り付けられる背板（１６０）と、背板（１６０）の端縁から背板（１６０）の厚み方向に沿って前方へ突出する第１側板（底板１６１）とを有することが好ましい。第２器具本体（１７）は、第１器具本体（１６）と離脱可能に結合されることが好ましい。第２器具本体（１７）は、第１器具本体（１６）に結合された状態において第１側板と対向する第２側板（天板１７０）を有することが好ましい。
【０１６１】
第１０の態様に係る照明器具（Ｘ２）は、第２器具本体（１７）を離脱させた状態で第１器具本体（１６）を造営材に取り付けることができる。その結果、第１０の態様に係る照明器具（Ｘ２）は、造営材に対する器具本体（１）の取付作業における作業性の向上を図ることができる。
【０１６２】
第１１の態様に係る照明器具（Ｘ１；Ｘ２）は、第９又は第１０の態様との組合せにより実現され得る。第１１の態様に係る照明器具（Ｘ１；Ｘ２）は、第１の光源、カバー（２）及び常用点灯装置（３３）が取り付けられる取付板（３２）を備えることか好ましい。取付板（３２）は、器具本体（１）に対して着脱可能に取り付けられることが好ましい。
【０１６３】
第１１の態様に係る照明器具（Ｘ１；Ｘ２）は、第１の光源、カバー（２）及び常用点灯装置（３３）を取付板（３２）と一体的に器具本体（１）に着脱することができるので、組立作業の作業性の向上を図ることができる。
【０１６４】
第１２の態様に係る照明器具（Ｘ２）は、第１１の態様との組合せにより実現され得る。第１２の態様に係る照明器具（Ｘ２）において、センサ装置（５）は、取付板（３２）に取り付けられていることが好ましい。
【０１６５】
第１２の態様に係る照明器具（Ｘ２）は、センサ装置（５）と第１の光源の位置関係のずれの抑制を図ることができる。
【符号の説明】
【０１６６】
Ｘ１；Ｘ２  照明器具
１  器具本体
２  カバー
３  常用光源ユニット（第１の光源）
５  センサ装置
７  非常用電源
１０  背板（壁）
１１  上側板（壁）
１２  下側板（壁）
１６  第１器具本体
１７  第２器具本体
３０  第１ＬＥＤモジュール（光源モジュール）
３２  取付板
３３  常用点灯装置
４０  第２ＬＥＤモジュール（第２の光源）
４３  導光体（第２の光源）
４６  パネル
５０  外郭
６２  非常用点灯装置
１２１  第１窓（窓）
１６０  背板（壁；第１側板）
１６１  底板（壁）
１７０  天板（壁；第２側板）
Ｓ２  空間
ＰＳ  常用電源
【図１】
2020167140.tif 000003
【図２】
2020167140.tif 000004
【図３】
2020167140.tif 000005
【図４】
2020167140.tif 000006
【図５】
2020167140.tif 000007
【図６】
2020167140.tif 000008
【図７】
2020167140.tif 000009
【図８】
2020167140.tif 000010
【図９】
2020167140.tif 000011
【図１０】
2020167140.tif 000012
【図１１】
2020167140.tif 000013
【図１２】
2020167140.tif 000014
【図１３】
2020167140.tif 000015
【図１４】
2020167140.tif 000016
【図１５】
2020167140.tif 000017
【図１６】
2020167140.tif 000018
【図１７】
2020167140.tif 000019
【図１８】
2020167140.tif 000020
【図１９】
2020167140.tif 000021
【図２０】
2020167140.tif 000022
【図２１】
2020167140.tif 000023
【図２２】
2020167140.tif 000024
【図２３】
2020167140.tif 000025
【図２４】
2020167140.tif 000026
【図２５】
2020167140.tif 000027
【図２６】
2020167140.tif 000028
【図２７】
2020167140.tif 000029
【図２８】
2020167140.tif 000030
【図２９】
2020167140.tif 000031
【図３０】
2020167140.tif 000032
【図３１】
2020167140.tif 000033
【図３２】
2020167140.tif 000034
【図３３】
2020167140.tif 000035
【図３４】
2020167140.tif 000036
【図３５】
2020167140.tif 000037
【図３６】
2020167140.tif 000038